(57)【要約】【課題】電界強度が激しく変化する環境下でも垂直同期位置がずれずに映像を表示可能な垂直同期制御装置を提供すること。【解決手段】垂直同期制御装置は、復号映像信号から垂直同期信号を取り出して外部垂直同期信号として出力する垂直同期分離部と、復号映像信号から水平同期信号を取り出して内部垂直同期信号を生成する垂直同期生成部と、復号映像信号のノイズ量を検出するノイズ検出部と、ノイズ検出量を示す数値に基づいて現在のノイズ状態を判断し、内部垂直同期信号の周期に近い周期を有する外部垂直同期信号が入力されるかに応じて外部垂直同期信号の周期が正常であるかを判断し、正常な周期の外部垂直同期信号の連続入力回数をカウントし、ノイズ検出量を示す数値及び正常な周期の外部垂直同期信号の連続入力回数に応じた指示を行う制御部と、制御部からの指示に応じて、外部垂直同期信号及び内部垂直同期信号のいずれか一方を垂直同期信号として出力する同期切替部とを備える。【選択図】図１
2009253539.tif 000002
【特許請求の範囲】
【請求項１】
映像信号と垂直同期信号及び水平同期信号とが一体化した復号映像信号から、垂直同期信号のみを取り出して外部垂直同期信号として出力する垂直同期分離部と、
前記復号映像信号から前記水平同期信号を取り出し、その数を数えることにより内部垂直同期信号を生成する垂直同期生成部と、
前記復号映像信号のノイズ量を検出し、ノイズ検出量に応じた数値を出力するノイズ検出部と、
前記ノイズ検出部から出力された前記ノイズ検出量を示す数値に基づいて、現在の状態がノイズの多い状態か少ない状態かを判断し、前記垂直同期生成部で生成された前記内部垂直同期信号の周期に近い周期を有する外部垂直同期信号が前記垂直同期分離部から入力されるか否かに応じて、前記外部垂直同期信号の周期が正常であるかを判断し、正常な周期の外部垂直同期信号の連続入力回数をカウントし、前記ノイズ検出量を示す数値及び前記正常な周期の外部垂直同期信号の連続入力回数に応じた指示を行う制御部と、
前記制御部からの指示に応じて、前記垂直同期分離部から出力された前記外部垂直同期信号及び前記垂直同期生成部から入力された前記内部垂直同期信号のいずれか一方を垂直同期信号として出力する同期切替部と、
を備えたことを特徴とする垂直同期制御装置。
【請求項２】
請求項１に記載の垂直同期制御装置であって、
前記制御部は、前記外部垂直同期信号が前記内部垂直同期信号の周期毎に連続して入力された回数のカウント値と所定の閾値の比較結果に応じて、前記外部垂直同期信号の信頼度を決定することを特徴とする垂直同期制御装置。
【請求項３】
請求項２に記載の垂直同期制御装置であって、
前記制御部は、前記外部垂直同期信号の信頼度が所定レベルを超えていれば、前記外部垂直同期信号を前記垂直同期信号として出力するよう前記同期切替部に指示し、前記外部垂直同期信号の信頼度が前記所定レベル未満であれば、前記内部垂直同期信号を前記垂直同期信号として出力するよう前記同期切替部に指示することを特徴とする垂直同期制御装置。
【請求項４】
請求項３に記載の垂直同期制御装置であって、
前記制御部は、前記ノイズ検出量を示す数値が所定の閾値を超えるときと前記所定の閾値未満のときとで、前記外部垂直同期信号の信頼度と比較する前記所定レベルを変えることを特徴とする垂直同期制御装置。
【発明の詳細な説明】
【技術分野】
【０００１】
本発明は、電界強度が激しく変化する環境下でも垂直同期位置がずれずに映像を表示可能な垂直同期信号を出力する垂直同期制御装置に関する。
【背景技術】
【０００２】
テレビジョン受像機は、復号映像信号から分離した水平同期信号及び垂直同期信号の内、垂直同期信号を表示画面の垂直方向の同期信号として使用する。テレビジョン受像機は、復号映像信号に復号同期信号が含まれているか否かを判定する。テレビジョン受像機は、復号同期信号が含まれている場合には、復号同期信号に同期してＰＬＬ回路として動作し（外部同期状態）、復号同期信号が含まれていない場合には、内部同期信号を発生して表示画面の乱れを防ぐ。（内部同期状態）。なお、チューニング時のように映像がない状態では、復号映像信号には復号同期信号が含まれない。
【０００３】
【特許文献１】特開平８−２３７５１４号公報
【発明の開示】
【発明が解決しようとする課題】
【０００４】
テレビジョン受像機能を有する車載機器や携帯機器等の機器が移動する際には、当該機器に入力される復号映像信号の電界強度は激しく変化する。電界強度が低いためにノイズを多く含む復号映像信号が機器に入力された際、当該機器が有する垂直同期分離回路は、垂直同期信号を検出できない又は誤検出する可能性がある。また、機器が移動状態では、垂直同期分離回路による垂直同期信号の検出が不安定となる。このような環境下では、上記説明した内部同期状態で垂直同期周波数を正しく保つことができても、垂直同期位置がずれてしまう。このため、上記説明したテレビジョン受像機は、表示画面が有効表示領域に対して垂直方向にずれた映像を表示してしまう。
【０００５】
本発明の目的は、電界強度が激しく変化する環境下でも垂直同期位置がずれずに映像を表示可能な垂直同期制御装置を提供することである。
【課題を解決するための手段】
【０００６】
本発明は、映像信号と垂直同期信号及び水平同期信号とが一体化した復号映像信号から、垂直同期信号のみを取り出して外部垂直同期信号として出力する垂直同期分離部と、前記復号映像信号から前記水平同期信号を取り出し、その数を数えることにより内部垂直同期信号を生成する垂直同期生成部と、前記復号映像信号のノイズ量を検出し、ノイズ検出量に応じた数値を出力するノイズ検出部と、前記ノイズ検出部から出力された前記ノイズ検出量を示す数値に基づいて、現在の状態がノイズの多い状態か少ない状態かを判断し、前記垂直同期生成部で生成された前記内部垂直同期信号の周期に近い周期を有する外部垂直同期信号が前記垂直同期分離部から入力されるか否かに応じて、前記外部垂直同期信号の周期が正常であるかを判断し、正常な周期の外部垂直同期信号の連続入力回数をカウントし、前記ノイズ検出量を示す数値及び前記正常な周期の外部垂直同期信号の連続入力回数に応じた指示を行う制御部と、前記制御部からの指示に応じて、前記垂直同期分離部から出力された前記外部垂直同期信号及び前記垂直同期生成部から入力された前記内部垂直同期信号のいずれか一方を垂直同期信号として出力する同期切替部と、を備えた垂直同期制御装置を提供する。
【０００７】
上記垂直同期制御装置では、前記制御部は、前記外部垂直同期信号が前記内部垂直同期信号の周期毎に連続して入力された回数のカウント値と所定の閾値の比較結果に応じて、前記外部垂直同期信号の信頼度を決定する。
【０００８】
上記垂直同期制御装置では、前記制御部は、前記外部垂直同期信号の信頼度が所定レベルを超えていれば、前記外部垂直同期信号を前記垂直同期信号として出力するよう前記同期切替部に指示し、前記外部垂直同期信号の信頼度が前記所定レベル未満であれば、前記内部垂直同期信号を前記垂直同期信号として出力するよう前記同期切替部に指示する。
【０００９】
上記垂直同期制御装置では、前記制御部は、前記ノイズ検出量を示す数値が所定の閾値を超えるときと前記所定の閾値未満のときとで、前記外部垂直同期信号の信頼度と比較する前記所定レベルを変える。
【発明の効果】
【００１０】
本発明に係る垂直同期制御装置によれば、垂直同期生成部で生成した内部垂直同期信号を垂直同期信号として出力する状態を基本状態とし、外部から入力される復号映像信号から垂直同期分離部が検出する外部垂直同期信号の信頼度が高いときには、外部垂直同期信号でを垂直同期信号として出力することで、電界強度が激しく変化する環境下でも垂直同期位置がずれずに映像を表示することができる。
【発明を実施するための最良の形態】
【００１１】
以下、本発明の実施形態について、図面を参照して説明する。
【００１２】
図１は、本発明に係る垂直同期制御回路の一実施形態の構成を示すブロック図である。図１に示す垂直同期制御回路は、垂直同期分離部１１と、垂直同期生成部１２と、ノイズ検出部１３と、制御部１４と、同期切替部１５とを備える。垂直同期分離部１１、垂直同期生成部１２及びノイズ検出部１３には、映像信号と垂直同期信号及び水平同期信号とが一体化した復号映像信号、いわゆるコンポジット信号が入力される。
【００１３】
垂直同期分離部１１は、入力された復号映像信号から垂直同期信号のみを取り出して外部垂直同期信号として出力する。外部垂直同期信号は、制御部１４及び同期切替部１５に入力される。垂直同期生成部１２は、復号映像信号から水平同期信号を取り出し、取り出した水平同期信号の数を数えることにより内部垂直同期信号を生成する。内部垂直同期信号は、制御部１４及び同期切替部１５に入力される。ノイズ検出部１３は、復号映像信号のノイズ量を検出し、ノイズ検出量に応じた数値を制御部１４に通知する。ノイズ検出量に応じた数値は、ノイズ検出量が多いほど高い。
【００１４】
制御部１４は、ノイズ検出部１３から通知されるノイズ検出量を示す数値に基づいて、現在の状態がノイズの多い状態か少ない状態かを判断する。また、制御部１４は、垂直同期生成部１２で生成された内部垂直同期信号の周期に近い値の周期を有する外部垂直同期信号が垂直同期分離部１１から入力されるか否かに応じて、外部垂直同期信号の周期が正常であるかを判断し、正常な周期の外部垂直同期信号の連続入力回数をカウントする。制御部１４は、ノイズ検出量を示す数値及び正常な周期の外部垂直同期信号の連続入力回数に応じて、後述する外部垂直同期状態及び内部垂直同期状態のいずれかに切り替えるよう、同期切替部１５に指示する。
【００１５】
同期切替部１５は、制御部１４からの指示に応じて、垂直同期分離部１１から入力された外部垂直同期信号及び垂直同期生成部１２から入力された内部垂直同期信号のいずれか一方を垂直同期信号として出力する。なお、外部垂直同期信号に基づいて動作している状態を「外部垂直同期状態」といい、内部垂直同期信号に基づいて動作している状態を「内部垂直同期状態」という。本実施形態の制御部１４は、通常は内部垂直同期状態で動作する。
【００１６】
以下、制御部１４の動作について、図２を参照して説明する。図２は、垂直同期周期毎に行う制御部１４の動作を示すフローチャートである。図２に示すように、通常時に内部垂直同期状態で動作する制御部１４は、ノイズ検出部１３から通知されるノイズ検出量を示す数値が閾値αを越えるか否かを判断する（ステップＳ１）。なお、当該数値が閾値αを超えたときのノイズは多いため電界強度は低いと判断され、閾値α以下であればノイズは少ないため電界強度は高いと判断される。
【００１７】
ステップＳ１で、ノイズ検出量を示す数値が閾値αを越え、電界強度が低いと判断された場合、制御部１４は、垂直同期分離部１１から入力された外部垂直同期信号の周期と垂直同期生成部１２から入力された内部垂直同期信号を比較し、外部垂直同期信号が内部垂直同期信号の周期毎に連続して入力された回数のカウント値と閾値βの値を比較する（ステップＳ２）。カウント値が閾値βを越えている場合、制御部１４は、外部垂直同期信号の信頼度が高いと判断し、外部垂直同期信号を垂直同期信号として出力するよう同期切替部１５に指示する（ステップＳ３）。一方、カウント値が閾値β以下の場合、制御部１４は、外部垂直同期信号の信頼度が低いと判断し、内部垂直同期信号を垂直同期信号として出力するよう同期切替部１５に指示する（ステップＳ４）。
【００１８】
ステップＳ１で、ノイズ検出量を示す数値が閾値α以下であり、電界強度が高いと判断された場合、制御部１４は、垂直同期分離部１１から入力された外部垂直同期信号の周期と垂直同期生成部１２から入力された内部垂直同期信号を比較し、外部垂直同期信号が内部垂直同期信号の周期毎に連続して入力された回数のカウント値と閾値γの値を比較する（ステップＳ５）。カウント値が閾値γを越えている場合、制御部１４は、外部垂直同期信号の信頼度が高いと判断し、外部垂直同期信号を垂直同期信号として出力するよう同期切替部１５に指示する（ステップＳ６）。一方、カウント値が閾値γ以下の場合、制御部１４は、外部垂直同期信号の信頼度が低いと判断し、内部垂直同期信号を垂直同期信号として出力するよう同期切替部１５に指示する（ステップＳ７）。制御部１４が同期切替部１５に垂直同期状態を指示した後、同期切替部１５は、その垂直同期期間は指示された垂直同期信号を出力し、ステップＳ１に戻る。
【００１９】
以上説明したように、本実施形態の垂直同期制御回路は、垂直周期毎にノイズ検出量及び外部垂直同期の信頼度を検出して、その結果に応じて内部垂直同期状態と外部垂直同期状態を切り替える。このため、電界強度が激しく変化する環境下でも垂直同期位置がずれることなく、正しい有効表示領域に映像を表示することができる。
【産業上の利用可能性】
【００２０】
本発明に係る垂直同期制御装置は、車載機器や携帯機器等の機器が移動することにより電界強度が激しく変化する環境下で用いられる当該機器に設けられたテレビジョン受信機等の垂直同期制御装置等として有用である。また、据え置き型の機器であっても電界強度が変化する環境下で用いられる当該機器に設けられたテレビジョン受信機等の垂直同期制御装置等としても有用である。
【図面の簡単な説明】
【００２１】
【図１】本発明に係る垂直同期制御回路の一実施形態の構成を示すブロック図
【図２】垂直同期周期毎に行う制御部１４の動作を示すフローチャート
【符号の説明】
【００２２】
１１  垂直同期分離部
１２  垂直同期生成部
１３  ノイズ検出部
１４  制御部
１５  同期切替部
【図１】
2009253539.tif 000003
【図２】
2009253539.tif 000004